(57)【要約】【課題】ＰＴＰシートから被収容物を排出させることができ、且つ、ＰＴＰシートの蓋材の破損を抑制することができる包装体を提供することを課題とする。【解決手段】ＰＴＰシートと、該ＰＴＰシートを覆うカバーシートを有するカバー体とを備え、前記ＰＴＰシートは、一面側に開口が形成されていることにより内部に被収容物を収容可能な収容部を含む基材と、前記一面側に接着されることにより前記開口を塞いでいる蓋材とを有し、前記カバー体は、前記カバーシートとして前記ＰＴＰシートの蓋材面を覆う蓋材カバーシートを備え、前記蓋材カバーシートは、前記ＰＴＰシートの蓋材面の一部が接した状態で固定されている固定領域と、前記ＰＴＰシートの蓋材面が固定されずに該蓋材面を覆う被覆領域と、を有し、前記ＰＴＰシートの蓋材面が前記被覆領域から離反し得るように折り曲げ可能に構成されている、包装体。【選択図】図２
2019189328.tif 000002
【特許請求の範囲】
【請求項１】
ＰＴＰシートと、該ＰＴＰシートを覆うカバーシートを有するカバー体とを備え、
前記ＰＴＰシートは、一面側に開口が形成されていることにより内部に被収容物を収容可能な収容部を含む基材と、前記一面側に接着されることにより前記開口を塞いでいる蓋材とを有し、
前記カバー体は、前記カバーシートとして前記ＰＴＰシートの蓋材面を覆う蓋材カバーシートを備え、
前記蓋材カバーシートは、前記ＰＴＰシートの蓋材面の一部が接した状態で固定されている固定領域と、前記ＰＴＰシートの蓋材面が固定されずに該蓋材面を覆う被覆領域と、を有し、前記ＰＴＰシートの蓋材面が前記被覆領域から離反し得るように折り曲げ可能に構成されている、包装体。
【請求項２】
前記カバー体は、前記蓋材カバーシートに対向するように配され得るカバーシートを更に備え、
前記カバー体又は前記ＰＴＰシートには、各カバーシートを互いに対向状態で維持させるための係止部を有する、請求項１に記載の包装体。
【請求項３】
前記カバー体は、前記蓋材カバーシートに対向するように配され得るカバーシートを更に備え、
両方のカバーシートは、互いを回動可能にするヒンジ部を介して連結されており、
前記蓋材カバーシートは、前記固定領域が、前記被覆領域よりも前記ヒンジ部側に配されていない、請求項１又は２に記載の包装体。
【請求項４】
前記固定領域が、前記被覆領域よりも前記ヒンジ部から離れた位置に配されている、請求項３に記載の包装体。
【発明の詳細な説明】
【技術分野】
【０００１】
本発明は、ＰＴＰシートと、該ＰＴＰシートを覆うカバー体とを備える包装体に関する。
【背景技術】
【０００２】
従来、ＰＴＰシートと、該ＰＴＰシートを覆うカバー体とを備える包装体が使用されている。このような包装体によれば、カバー体によりＰＴＰシートを保護することができる。
【０００３】
例えば、特許文献１には、ＰＴＰシートと、該ＰＴＰシートを覆うカバー体とを備え、前記ＰＴＰシートは、一面側に開口が形成されていることにより内部に被収容物を収容可能な収容部を含む基材と、前記一面側に接着されることにより前記開口を塞いでいる蓋材とを有し、前記カバー体は、前記ＰＴＰシートの蓋材面を覆うカバーシートと、前記ＰＴＰシートを支持し且つ前記ＰＴＰシートと共に回動する支持体と、を備え、前記支持体は、一端縁が前記カバーシートに接合されており、前記ＰＴＰシートの蓋材面が前記カバーシートから離反し得るように該一端縁を回動軸にして回動可能に構成されている、包装体が記載されている。このような包装体によれば、支持体を回動させることによりＰＴＰシートの蓋材面をカバーシートから離反させ、収容部を押圧することにより、ＰＴＰシートから被収容物を排出させることができる。また、使用後は、支持体を反対方向に回動させてＰＴＰシートの蓋材面をカバーシートで覆うことにより、ＰＴＰシートをカバー体により保護することができる。
【先行技術文献】
【特許文献】
【０００４】
【特許文献１】特表２０１６−５２８９５５号公報
【発明の概要】
【発明が解決しようとする課題】
【０００５】
しかし、特許文献１に記載された包装体では、支持体が一端縁を回動軸にして回動可能に構成されているため、不用意に回動し易い。従って、ＰＴＰシートの蓋材面がカバーシートから離反し、ＰＴＰシートの蓋材面が露出し易くなる。これにより、物との接触により蓋材が破損するという問題点がある。
【０００６】
本発明は、上記の問題点に鑑み、ＰＴＰシートから被収容物を排出させることができ、且つ、ＰＴＰシートの蓋材の破損を抑制することができる包装体を提供することを課題とする。
【課題を解決するための手段】
【０００７】
本発明に係る包装体は、
ＰＴＰシートと、該ＰＴＰシートを覆うカバーシートを有するカバー体とを備え、
前記ＰＴＰシートは、一面側に開口が形成されていることにより内部に被収容物を収容可能な収容部を含む基材と、前記一面側に接着されることにより前記開口を塞いでいる蓋材とを有し、
前記カバー体は、前記カバーシートとして前記ＰＴＰシートの蓋材面を覆う蓋材カバーシートを備え、
前記蓋材カバーシートは、前記ＰＴＰシートの蓋材面の一部が接した状態で固定されている固定領域と、前記ＰＴＰシートの蓋材面が固定されずに該蓋材面を覆う被覆領域と、を有し、前記ＰＴＰシートの蓋材面が前記被覆領域から離反し得るように折り曲げ可能に構成されている、包装体である。
【０００８】
斯かる構成によれば、蓋材カバーシートを折り曲げることにより、ＰＴＰシートの蓋材面を被覆領域から離反させ、この状態で収容部を押圧することにより、ＰＴＰシートから被収容物を排出させることができる。また、蓋材カバーシートの固定領域にＰＴＰシートの蓋材面の一部が固定されているため、蓋材カバーシートを折り曲げない限り、ＰＴＰシートの蓋材面が被覆領域から離反し難くなっている。従って、ＰＴＰシートの蓋材の破損を抑制することができる。
【０００９】
また、本発明に係る包装体は、
前記カバー体は、前記蓋材カバーシートに対向するように配され得るカバーシートを更に備え、
前記カバー体又は前記ＰＴＰシートには、各カバーシートを互いに対向状態で維持させるための係止部を有してもよい。
【００１０】
斯かる構成によれば、係止部により各カバーシートの対向状態を維持させることができるため、蓋材カバーシートが不用意に屈曲し難くなる。従って、ＰＴＰシートの蓋材の破損をさらに抑制することができる。
【００１１】
また、本発明に係る包装体は、
前記カバー体が、前記蓋材カバーシートに対向するように配され得るカバーシートを更に備え、
両方のカバーシートは、互いを回動可能にするヒンジ部を介して連結されており、
前記蓋材カバーシートは、前記固定領域が、前記被覆領域よりも前記ヒンジ部側に配されていないように構成されてもよい。
【００１２】
斯かる構成によれば、固定領域が、被覆領域よりもヒンジ部側に配されている構成と比較して、各カバーシートがＰＴＰシートを覆っている状態から、不用意にヒンジ部を介してカバーシートが少し回動した場合でも、蓋材カバーシートが屈曲し難いため、カバーシートの先端側（ヒンジ部とは反対の側）から見たときに、ＰＴＰシートの蓋材面が露出しにくくなる。従って、ＰＴＰシートの蓋材の破損をより確実に抑制することができる。
尚、固定領域が、被覆領域よりもヒンジ部側に配されていないとは、固定領域の中心が被覆領域の中心よりもヒンジ部側に配されていないことを意味する。
【００１３】
また、本発明に係る包装体は、
前記固定領域が、前記被覆領域よりも前記ヒンジ部から離れた位置に配されていてもよい。
【００１４】
斯かる構成によれば、被覆領域がヒンジ部側に配される。よって、被覆領域が固定領域よりもヒンジ部から離れた位置に配されている構成、すなわち、被覆領域が蓋材カバーシートの先端側に配される構成と比較して、各カバーシートがＰＴＰシートを覆っている状態から、不用意にヒンジ部を介してカバーシートが少し回動した場合であっても、蓋材カバーシートがより屈曲し難いため、カバーシートの先端側から見たときに、ＰＴＰシートの蓋材面がより一層露出しにくくなる。従って、ＰＴＰシートの蓋材の破損をより一層確実に抑制することができる。
【発明の効果】
【００１５】
以上の通り、本発明によれば、ＰＴＰシートから被収容物を排出させることができ、且つ、ＰＴＰシートの蓋材の破損を抑制することができる包装体を提供することができる。
【図面の簡単な説明】
【００１６】
【図１】第１実施形態に係る包装体を示す概略斜視図であり、切離予定部が途中まで切離されている状態を示す図である。
【図２】本実施形態に係る包装体を示す概略斜視図であり、一方の蓋材カバーシートが折曲部にて折れ曲がっている状態を示す図である。
【図３】本実施形態に係るカバー体の平面図である。
【図４】本実施形態に係るカバー体の平面図であり、固定領域にＰＴＰシートが固定された状態を示す図である。
【図５】本実施形態に係る包装体の平面図であり、一対の蓋材カバーシートが同一平面上に配された状態を示す図である。
【図６】本実施形態に係る包装体の平面図であり、一対の蓋材カバーシートが対向している状態を示す図である。
【図７】本実施形態に係る包装体の図５におけるＶＩＩ−ＶＩＩ線断面図である。
【図８】本実施形態に係る包装体の図６におけるＶＩＩＩ−ＶＩＩＩ線断面図である。
【図９】第２実施形態に係る包装体を示す概略斜視図であり、一方の蓋材カバーシートが折曲部にて折れ曲がっている状態を示す図である。
【図１０】第３実施形態に係る包装体を示す概略斜視図であり、一方の蓋材カバーシートが折曲部にて折れ曲がっている状態を示す図である。
【図１１】第４実施形態に係る包装体を示す概略斜視図である。
【図１２】本実施形態に係る包装体を示す平面図であり、切離予定部が切離された状態を示す図である。
【図１３】本実施形態に係る包装体を示す概略斜視図であり、蓋材カバーシートが折曲部にて折れ曲がっている状態を示す図である。
【発明を実施するための形態】
【００１７】
以下、図１から図８を参照しつつ、本発明の第１実施形態に係る包装体について説明する。
【００１８】
図１及び図２に示すように、本実施形態に係る包装体１は、二つのＰＴＰシート２と、二つのＰＴＰシート２を覆うカバー体３を備える。カバー体３は、ＰＴＰシート２を覆うカバーシート３２を有する。
【００１９】
ＰＴＰシート２は、一面側に複数の開口２０１が形成されていることにより内部に被収容物２０２を収容可能な複数の収容部２０３と複数の開口２０１から延設されているフランジ部２０４とを含む基材２０と、前記一面側に接着されることにより複数の開口２０１を塞いでいる蓋材２２とを有し、一端縁部にカバーシート３２に固定される被固定部２４が形成されている。被固定部２４は、端縁に沿って直線状に形成されている。
【００２０】
図１及び図２に示すように、本実施形態に係る包装体１は、二つのＰＴＰシート２を備える。また、図１、図７及び図８に示すように、二つのＰＴＰシート２は、それぞれの基材２０を対向させて重なり合せたときに、重なり合った状態を維持させる係止部２６を有する。
後述するように、係止部２６により、対をなすカバーシート３２を互いに対向状態で維持させることができる。
【００２１】
係止部２６は、被固定部２４の基材側に設けられている。係止部２６は、蓋材側から基材側の方向に突き出すように形成されている突出部２６２を有する。二つのＰＴＰシート２のうち、一方のＰＴＰシート２の突出部２６２には、蓋材側から基材側の方向に更に突き出すように係止用凸部２６４が形成されており、もう一方のＰＴＰシート２における突出部２６２には、基材側から蓋材側の方向に凹むように係止用凹部２６６が形成されており、係止用凸部２６４と係止用凹部２６６とは互いに係止し得るように嵌合可能に構成されている。
【００２２】
図４、図５及び図８に示すように、二つのＰＴＰシート２は、一方の各収容部２０３が他方の各収容部２０３の間の隙間に嵌入する大きさに設定され、他方の収容部２０３が一方の各収容部２０３の間の隙間に嵌入する大きさに設定されている。これにより、二つのＰＴＰシート２は、それぞれの基材２０を対向させて重なり合せたときに、互いのＰＴＰシート２の収容部２０３の間に、対向するＰＴＰシート２の収容部２０３が嵌入するように配される。収容部２０３は、両側の側面部であって、嵌入時に対向するＰＴＰシート２の収容部２０３と接触する部分が、平面状に形成されていることが好ましい。これにより、二つのＰＴＰシート２における収容部２０３が互いに接触する部分の面積を増加させることができるため、上記係止を補強することができる。
【００２３】
被収容物２０２としては、医薬品又はサプリメントの錠剤又はカプセルが挙げられる。図１等においては、被収容物２０２として、医薬品のカプセルが示されている。
【００２４】
ＰＴＰシート２は、従来公知の方法により作製することができる。
【００２５】
カバー体３は、ＰＴＰシート２の蓋材面又は基材面の一方を覆うカバーシート３２を備えている。図１〜図５に示すように、本実施形態においては、カバー体３は、ＰＴＰシート２の蓋材面を覆うカバーシート３２として一対の蓋材カバーシート３２と、ＰＴＰシート２の基材面を覆う一対の基材カバーシート３６とを有する。基材カバーシート３６は、蓋材カバーシート３２と共働してＰＴＰシート２を挟持している。一対の蓋材カバーシート３２は、互いを回動可能にするヒンジ部３４を介して連結されている。
【００２６】
蓋材カバーシート３２は、ＰＴＰシート２の蓋材面の一部が接した状態で固定されている固定領域３２２と、ＰＴＰシート２の蓋材面が固定されずに該蓋材面を覆う被覆領域３２４とを有する。また、蓋材カバーシート３２は、ＰＴＰシート２の蓋材面が被覆領域３２４から離反し得るように折り曲げ可能に構成された折曲部３２６を有する。
【００２７】
図４及び図５に示すように、一対の蓋材カバーシート３２それぞれの固定領域３２２は、互いのＰＴＰシート２の収容部２０３の間に、対向するＰＴＰシート２の収容部２０３が嵌入し得るように、位置ずれして配されている。
【００２８】
固定領域３２２とＰＴＰシート２の被固定部２４とは、それぞれの有する面にて固定されている。
固定領域３２２に被固定部２４が、任意の方法により固定されている。例えば、固定領域３２２に被固定部２４が、接着剤や両面テープ等の他の部材を介して接着されることにより固定されていてもよい。固定領域３２２及び被固定部２４がヒートシール可能な材質である場合には、固定領域３２２に被固定部２４が、ヒートシール接着により固定されていてもよい。
また、ＰＴＰシート２の被固定部２４は、固定領域３２２と他の部材（本実施形態では基材カバーシート３６）とで挟み込むことによりカバーシート３２に固定されてもよい。
尚、固定とは、通常の使用において、ＰＴＰシート２の被固定部２４とカバーシート３２の固定領域３２２とが離反する方向に移動することが規制されることを意味する。
蓋材カバーシート３２の固定領域３２２にＰＴＰシート２の被固定部２４が接した状態で固定されていることにより、蓋材カバーシート３２を折り曲げない限りは、ＰＴＰシート２の蓋材面が被覆領域３２４から離反し難くなっている。従って、ＰＴＰシート２の蓋材２２の破損を抑制することができる。
【００２９】
固定領域３２２は、被覆領域３２４よりもヒンジ部３４側に配されていないように構成されている。
また、固定領域３２２は、被覆領域３２４よりもヒンジ部３４から離れた位置に配されていてもよい。言い換えれば、被覆領域３２４が蓋材カバーシート３２の基端側に配されていてもよい。
【００３０】
被覆領域３２４は、ＰＴＰシート２の蓋材面が固定されずに該蓋材面を覆っている。
【００３１】
折曲部３２６は、固定領域３２２と被覆領域３２４との境界に沿って且つ被覆領域３２４を横断するように形成されている。折曲部３２６は、折り曲げ易くなるように加工された折曲加工線により形成されていてもよい。また、折曲加工線には、折り曲げ易くなるように、切込みが形成されていてもよい。
このような構成によれば、折曲部３２６にて蓋材カバーシート３２を折り曲げると、ＰＴＰシート２の蓋材面が被覆領域３２４から離反する。この状態で、収容部２０３を押圧することにより、ＰＴＰシート２から被収容物２０２を排出させることができる。
【００３２】
ヒンジ部３４は、一対の蓋材カバーシート３２の基端側に配されている。ヒンジ部３４は、蓋材カバーシート３２を回動可能にし得るように構成されている。ヒンジ部３４は、折り曲げ易くなるように加工された折曲加工線により形成されていてもよい。また、折曲加工線には、折り曲げ易くなるように、切込みが形成されていてもよい。本実施形態においては、一枚のシート状部材に、切込みを有する折曲加工線が形成されていることにより、ヒンジ部３４と一対の蓋材カバーシート３２とが区画形成されている。尚、ヒンジ部３４は、一本の折曲加工線により形成されていてもよい。
【００３３】
基材カバーシート３６は、蓋材面側が蓋材カバーシート３２に覆われたＰＴＰシート２の基材面側を覆い、蓋材カバーシート３２と共働してＰＴＰシート２を挟持するように構成されている。
本実施形態においては、基材カバーシート３６の先端部（ＰＴＰシート２を挟持した際のヒンジ部３４とは反対側の端部側）は、蓋材カバーシート３２の固定領域３２２を含む先端部に、ＰＴＰシート２の被固定部２４を介在させた状態で接着されている。基材カバーシート３６と蓋材カバーシート３２とは、互いに重複する部分の側端部が接着されていてもよい。接着されたそれぞれの側端部は、使用時には分離する必要があるため、側端部における接着の強度は、先端部における接着の強度よりも弱くなるように構成されていることが好ましい。
【００３４】
基材カバーシート３６には、ＰＴＰシート２の複数の収容部２０３それぞれが内側に配される複数の第１開口３６１が形成されている。複数の第１開口３６１は、内側に配される収容部２０３と嵌合し得る形状及び大きさに形成されている。
【００３５】
基材カバーシート３６には、ＰＴＰシート２に設けられた係止部２６が内側に配される第２開口３６２が形成されている。第２開口３６２は、内側に配される係止部２６を嵌合し得る形状及び大きさに形成されている。
このような構成によれば、係止部２６を内側に露出させることができるため、二つのＰＴＰシート２それぞれに設けられた係止部２６を係止させることにより、対をなす蓋材カバーシート３２の対向状態を維持させることができる。
【００３６】
本実施形態のように、固定領域３２２が蓋材カバーシート３２の先端部に配されている構成の場合、一対の基材カバーシート３６それぞれは、弱化線３８１により区画形成されている切離予定部３８により連結されていてもよい。切離予定部３８は、ヒンジ部３４に対向する位置に配されている。
このような構成によれば、使用する際、開封前に、さらに切離予定部３８を切離する必要があるため、チャイルドレジスタンス機能を向上させることができる。
【００３７】
切離予定部３８は、側端部に指で摘むことが可能な摘み部３８２を有してもよい。これに伴い、基材カバーシート３６には、摘み部３８２を摘み易くするための切欠き３６３が形成されていてもよい。
【００３８】
弱化線３８１は、切断しやすくなるように加工された線であり、好ましくは、ハーフカット、ミシン目又は部分的な切り込み等により形成されている。
【００３９】
カバー体３は、紙により形成されていてもよく、ポリエチレン、ポリプロピレン、ポリエチレンテレフタレート、ポリ塩化ビニル等の樹脂材料などによって形成されていてもよい。
【００４０】
カバー体３は、連続する一枚のシートを用いて構成されてもよく、複数枚のシートを用いて構成されてもよい。
【００４１】
次に、本実施形態に係る包装体１の使用例について説明する。
【００４２】
包装体１から被収容物２０２を取り出すには、図６に示す一対の蓋材カバーシートが対向している状態から、図５に示す一対の蓋材カバーシートが互いに離反した状態にする。次に、図１に示すように、切離予定部３８を切離した後、蓋材カバーシート３２と基材カバーシート３６との側端部における接着部分を分離する。そして、図２に示すように、折曲部３２６にて蓋材カバーシート３２を折り曲げることにより、ＰＴＰシート２の蓋材面を被覆領域３２４から離反させる。この状態で、ＰＴＰシート２の収容部２０３を押圧することにより、ＰＴＰシート２から被収容物２０２を排出させることができる。使用後は、蓋材カバーシート３２を元の状態に戻し、係止部２６により一対の蓋材カバーシート３２が対向した状態を維持させる。  
【００４３】
次に、図９及び図１０を参照しつつ、第２実施形態及び第３実施形態に係る包装体１について説明する。尚、第１実施形態と共通する部分には共通する符号を付して説明を省略する。
【００４４】
図９に示すように、第２実施形態に係る包装体１は、カバー体３が一対の蓋材カバーシート３２を有し、一方の蓋材カバーシート３２における固定領域３２２及び他方の蓋材カバーシート３２における被覆領域３２４が、ヒンジ部３４に沿う方向の一方向側に配され、一方の蓋材カバーシート３２における被覆領域３２４及び他方の蓋材カバーシート３２における固定領域３２２が、ヒンジ部３４に沿う方向の他方向側に配されている。また、折曲部３２６にて蓋材カバーシート３２を折り曲げ得るように、蓋材カバーシート３２の固定領域３２２側とヒンジ部３４との間には、切込み３５が形成されている。
このような構成によれば、折曲部３２６がヒンジ部３４に対して交差するように配されていることにより、各カバーシートがＰＴＰシートを覆っている状態から、不用意にヒンジ部３４を介して蓋材カバーシート３２が少し回動しても、互いに対向しているＰＴＰシート２それぞれが障害となって蓋材カバーシート３２が屈曲しにくくなるため、蓋材面が露出しにくくなる。
【００４５】
図１０に示すように、第３実施形態に係る包装体１は、カバー体３が一対の蓋材カバーシート３２を有し、それぞれの固定領域３２２が、ヒンジ部３４に沿う方向の一方向側に配され、それぞれの被覆領域３２４が、ヒンジ部３４に沿う方向の他方向側に配されている。また、折曲部３２６にて蓋材カバーシート３２を折り曲げ得るように、蓋材カバーシート３２の固定領域３２２側とヒンジ部３４との間には、切込み３５が形成されている。
このような構成によれば、折曲部３２６がヒンジ部３４に対して交差するように配され、さらに、被覆領域３２４が同じ側に、すなわち、ＰＴＰシート２の蓋材面が離反する側が同じ側に配されていることにより、互いに対向するＰＴＰシート２それぞれがより障害となって蓋材カバーシート３２が屈曲しにくくなるため、蓋材面が露出しにくくなる。
【００４６】
次に、図１１〜図１３を参照しつつ、第４実施形態に係る包装体１について説明する。尚、他の実施形態と共通する部分には共通する符号を付して説明を省略する。
【００４７】
図１１〜図１３に示すように、第４実施形態に係る包装体１は、一つのＰＴＰシート２と、ＰＴＰシート２の蓋材面を覆う蓋材カバーシート３２とＰＴＰシート２の基材面を覆う基材カバーシート３６とを有するカバー体３と、を備える。蓋材カバーシート３２は、被覆領域３２４側の端部３２８が、基材カバーシート３６の外側に配されるように形成されている。蓋材カバーシート３２と基材カバーシート３６とは、切離予定部３８により連結されている。切離予定部３８は、端部３２８に対向する位置に配されている。蓋材カバーシート３２の端部３２８には、係止用切込み３２９が形成されている。また、基材カバーシート３６には、係止用切込み３２９が対向し得る位置に、係止用爪３６４が形成されている。係止用切込み３２９と係止用爪３６４とで係止部２６をなしている。係止用爪３６４と係止用切込み３２９とは、切離予定部３８が切離された後に、互いに係止し得るように構成されている。
このような構成によれば、蓋材カバーシート３２と基材カバーシート３６とに、係止用切込み３２９と係止用爪３６４とが形成されているため、比較的コンパクトな包装体１を提供することができる。
【００４８】
本発明に係る包装体は、上記実施形態の構成に限定されるものではない。また、本発明に係る包装体は、上記した作用効果により限定されるものでもない。本発明に係る包装体は、本発明の要旨を逸脱しない範囲で種々の変更が可能である。
【符号の説明】
【００４９】
１：包装体、
２：ＰＴＰシート、
２０：基材、２０１：開口、２０２：被収容物、２０３：収容部、２０４：フランジ部、２２：蓋材、
２４：被固定部、
２６：係止部、２６２：突出部、２６４：係止用凸部、２６６：係止用凹部、
３：カバー体、
３２：カバーシート又は蓋材カバーシート、３２２：固定領域、３２４：被覆領域、
３２６：折曲部、３２８：端部、３２９：係止用切込み、
３４：ヒンジ部、
３５：切込み、
３６：基材カバーシート、３６１：第１開口、３６２：第２開口、３６３：切欠き、３６４：係止用爪、
３８：切離予定部、３８１：弱化線、３８２：摘み部
【図１】
2019189328.tif 000003
【図２】
2019189328.tif 000004
【図３】
2019189328.tif 000005
【図４】
2019189328.tif 000006
【図５】
2019189328.tif 000007
【図６】
2019189328.tif 000008
【図７】
2019189328.tif 000009
【図８】
2019189328.tif 000010
【図９】
2019189328.tif 000011
【図１０】
2019189328.tif 000012
【図１１】
2019189328.tif 000013
【図１２】
2019189328.tif 000014
【図１３】
2019189328.tif 000015
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
ＰＴＰシートと、該ＰＴＰシートを覆うカバーシートを有するカバー体とを備え、
前記ＰＴＰシートは、一面側に開口が形成されていることにより内部に被収容物を収容可能な収容部を含む基材と、前記一面側に接着されることにより前記開口を塞いでいる蓋材とを有し、
前記カバー体は、前記カバーシートとして前記ＰＴＰシートの蓋材面を覆う蓋材カバーシートを備え、
前記蓋材カバーシートは、前記ＰＴＰシートの蓋材面の一部が接した状態で固定されている固定領域と、前記ＰＴＰシートの蓋材面が固定されずに該蓋材面を覆う被覆領域と、前記ＰＴＰシートの蓋材面が前記被覆領域から離反し得るように折り曲げ可能に構成された折曲部とを有し、
前記折曲部は、前記固定領域と前記被覆領域との境界に沿って形成されており、
前記カバー体は、前記蓋材カバーシートに対向し且つ前記ＰＴＰシートを挟むように配され得るカバーシートを更に備え、
両方のカバーシートは、互いを回動可能にするヒンジ部を介して連結されており、
前記蓋材カバーシートは、前記固定領域が、前記被覆領域よりも前記ヒンジ部側に配されていない、包装体（蓋材カバーシートを切断して、対向するカバーシートから離反させる態様を除く）。
【請求項２】
前記カバー体又は前記ＰＴＰシートには、各カバーシートを互いに対向状態で維持させるための係止部を有する、請求項１に記載の包装体。
【請求項３】
前記固定領域が、前記被覆領域よりも前記ヒンジ部から離れた位置に配されている、請求項１又は２に記載の包装体。